(57)【要約】【課題】本発明は、プラテンローラと駆動源とを同一フレームに収納することにより、開放部分を無くして印刷部分にゴミ等が侵入しない、高品質の印刷が可能なサーマルプリンタを提供すること。【解決手段】本発明のサーマルプリンタ１は、プラテンローラ４とプラテンローラ４を回転駆動するための駆動源（図示せず）とを支持した第１フレーム２と、サーマルヘッド１０を取り付けた第２フレーム３とを配設し、第１、第２フレーム２、３とを取り付けた本体ケース（図示せず）を有し、第２ケース３は、本体ケースに沿って矢印Ａ方向にスライド可能に取り付けられて第１ケース２に着脱可能になっている。【選択図】　　　　図１
2004122646.tif 000002
【特許請求の範囲】
【請求項１】
複数の発熱素子を有するサーマルヘッドと、このサーマルヘッドが圧接可能なプラテンローラとを備え、前記プラテンローラと前記プラテンローラを回転駆動するための駆動源とを支持した第１フレームと、前記サーマルヘッドを取り付けた第２フレームとを配設し、前記第１、第２フレームとを取り付けた本体ケースを有し、前記第１フレームは、前記本体ケースに沿ってスライド可能に取り付けられて前記第２フレームに着脱可能になっていることを特徴とするサーマルプリンタ。
【請求項２】
前記サーマルヘッドは、前記第２フレームの天板側に配設したヘッド取付台に固着され、前記第２フレームの前記天板と前記ヘッド取付台との間に、前記サーマルヘッドを前記プラテンローラ側に弾性付勢可能な弾性部材を配設し、前記第１フレームを前記第２フレームに装着すると、前記サーマルヘッドが前記プラテンローラに弾接するようにしたことを特徴とする請求項１記載のサーマルプリンタ。
【請求項３】
前記第１フレームを前記第２フレームに装着すると、前記第２フレームの前記天板が前記プラテンローラの上方を覆うようにしたことを特徴とする請求項２記載のサーマルプリンタ。
【請求項４】
前記第１フレームには、前記駆動源の回転を前記プラテンローラに伝達可能な複数のギアを収納したギアボックスを配設したことを特徴とする請求項１乃至３のいずれかに記載のサーマルプリンタ。
【請求項５】
前記第１フレームには、前記第２フレームに装着した前記第１フレームの動きを規制してロック可能なロック部材を配設したことを特徴とする請求項１乃至４のいずれかに記載のサーマルプリンタ。
【請求項６】
前記本体ケースには、前記第１フレームの前記ロックを解除可能なロック解除部材を配設したことを特徴とする請求項５記載のサーマルプリンタ。
【請求項７】
前記ロック解除部材が前記第１フレームの前記ロックを解除すると、前記ロック部材が前記第２フレームを押圧さして前記第１フレームが前記第２フレームから離間するようにしたことを特徴とする請求項６記載のサーマルプリンタ。
【請求項８】
前記第２フレームには、前記ロック部材が前記第１フレームを前記ロックしたことを検出可能な検出スイッチを配設したことを特徴とする請求項５乃至７のいずれかに記載のサーマルヘッド。
【請求項９】
前記プラテンローラには、前記弾性部材の付勢力に抗して前記ヘッド取付台を前記天板側に押し上げ可能な押し上げ部材を配設し、前記第１フレームを前記第２フレーム側に移動させる時は、前記押し上げ部材が前記ヘッド取付台を押し上げて前記サーマルヘッドを前記プラテンローラから離間させ、前記第１フレームの前記第２フレームへの装着が完了すると、前記押し上げ部材による前記ヘッド取付台の前記押し上げが解除されて、前記サーマルヘッドが前記プラテンローラに圧接するようにしたことを特徴とする請求項２乃至８のいずれかに記載のサーマルヘッド。
【請求項１０】
前記押し上げ部材は、前記プラテンローラの直径寸法より大きな円板状に形成されて、前記プラテンローラの長手方向の端部に軸止され、前記ヘッド取付台には、前記押し上げ部材が当接可能な当接部と、前記押し上げ部材の前記当接がはずれる非当接部とを形成し、前記第１フレームを前記第２フレームに前記装着時には、前記押し上げ部材が前記当接部に当接して前記ヘッド取付台を押し上げ、前記第２フレームへの前記第１フレームの前記装着が完了すると、前記押し上げ部材が前記非当接部に位置して、前記ヘッド取付台の前記押し上げが解除されるようにしたことを特徴とする請求項９記載のサーマルヘッド。
【発明の詳細な説明】
【０００１】
【発明の属する技術分野】
本発明はサーマルプリンタに係わり、印刷情報に基づいてサーマルヘッドの複数の発熱素子を選択的に発熱させることにより、記録媒体に所望の画像を印刷可能なサーマルプリンタに関する。
【０００２】
【従来の技術】
従来のサーマルプリンタは、図１１に示すように、内部が空洞状の本体ケース２１を有し、この本体ケース２１の内部に、後述するプラテンローラ２９の駆動源であるモータ２２が収納されている。
前記モータ２２の回転軸（図示せず）が突出する側の本体ケース２１には、モータ２２の回転を後述するプラテンローラ２９に伝達するための複数のギア群２３を内部に収納したギアボックス２４が取り付けられている。
【０００３】
このギアボックス２４は、一部が開放されてギア群２３が露出している。この露出したギア群２３に、後述するプラテンローラ２９の伝達ギア２９ａが噛み合うようになっている。
また、本体ケース２１の図示左側の側壁には、ラインヘッドからなる長尺状のサーマルヘッド２５が取り付けられている。
また、本体ケース２１には、サーマルヘッド２５の長手方向を挟んで、図示手前側と奥側とに互いに対向させて形成した支持側壁２６、２６が、図示左方向に突出形成されている。
前記支持側壁２６、２６には、後述するプラテンローラ２９を支持可能な、上方が開放された円弧状のローラ支持部２６ａが形成されている。
【０００４】
また、支持側壁２６のそれぞれには、ローラ支持部２６ａの開放された上方を開閉可能なフック部材２７が回動自在に支持されている。
前記ローラ支持部２６ａには、図１２に示すように、ローラ支持フレーム２８に支持した回転自在のプラテンローラ２９が支持可能になっている。
そして、ローラ支持部２６ａにプラテンローラ２９を支持すると、フック部材２７が回動してプラテンローラ２９がローラ支持部２６ａから抜け止めされるようになっている。
また、プラテンローラ２９の回転軸２９ａには、ギアボックス２４のギア群２３に噛み合ってモータ２２の回転を伝達可能な伝達ギア２９ｂが軸止されている。
また、本体ケース２１の図示右側からは、モータ２２及びサーマルヘッド２５に接続するＦＰＣ３０が延出形成されている。
【０００５】
このような従来のサーマルプリンタによる印刷動作は、本体ケース２１の内部に配置した、例えば感熱紙からなるロール状に巻回した用紙（図示せず）を、図１１に示すような、プラテンローラ２９を装着する前のサーマルヘッド２５の前方に引き回しした状態で、プラテンローラ２９の回転軸２９ａをローラ支持部２６ａに落下させて装着する。すると、サーマルヘッド２５とプラテンローラ２９との間に用紙が圧接されると共に、プラテンローラ２９がフック部材２７でローラ支持部２６ａから抜け止めされる。
前記サーマルヘッド２５とプラテンローラ２９との間に用紙を圧接後、サーマルヘッド２５の複数の発熱素子を印刷情報に基づいて選択的に発熱させると共に、モータ２２を駆動させてプラテンローラ２９を回転させて用紙を搬送することにより、用紙に所望の画像を印刷することができる。
そして、印刷終了後の用紙はカッター（図示せず）により所望の長さに切断可能になっている。
【０００６】
このような従来のサーマルプリンタは、用紙交換時等において、フック部材２７を回動させて、ローラ支持部２６ａの上方を開放し、ローラ支持フレーム２８に支持した状態のプラテンローラ２９をローラ支持部２６ａから取り出す。
その後、サーマルヘッド２５の下方から用紙の端部を引き出し、その後、プラテンローラ２９を再度ローラ支持部２６ａに落下させる。
すると、プラテンローラ２９は、伝達ギア２９ａがギアボックス２４のギア群２３に噛み合うと共に、フック部材２７によって、ローラ支持部２６ａから抜け止めされ、用紙に印刷可能になる。
【０００７】
【発明が解決しようとする課題】
しかし、前述したような従来のサーマルプリンタは、用紙交換時等に、プラテンローラ２９をローラ支持部２６ａに落下させたときに、プラテンローラ２９の伝達ギア２９ａの歯先とギアボックス２４内のギア群２３の歯先とが衝突し、ギアの歯先が欠けたりして、正常なギアの噛み合わせができなくなり、プラテンローラに回転ムラ等が発生して、印字品質が低下するおそれがあった。
【０００８】
また、従来のサーマルプリンタは、図１２に示すように、プラテンローラ２９の上方、およびギアボックス２４の上方がそれぞれ開放されているために、この開放部分からゴミ等が侵入して、印刷不良等が発生するおそれがあった。
本発明は、前述したような問題点に鑑みてなされたもので、プラテンローラと駆動源とを同一フレームに収納することにより、開放部分を無くして印刷部分にゴミ等が侵入しない、高品質の印刷が可能なサーマルプリンタを提供することを目的とする。
【０００９】
【課題を解決するための手段】
前記課題を解決するための第１の解決手段として本発明のサーマルプリンタは、複数の発熱素子を有するサーマルヘッドと、このサーマルヘッドが圧接可能なプラテンローラとを備え、前記プラテンローラと前記プラテンローラを回転駆動するための駆動源とを支持した第１フレームと、前記サーマルヘッドを取り付けた第２フレームとを配設し、前記第１、第２フレームとを取り付けた本体ケースを有し、前記第１フレームは、前記本体ケースに沿ってスライド可能に取り付けられて前記第２フレームに着脱可能になっていることを特徴とする。
【００１０】
また、前記課題を解決するための第２の解決手段として、前記サーマルヘッドは、前記第２フレームの天板側に配設したヘッド取付台に固着され、前記第２フレームの前記天板と前記ヘッド取付台との間に、前記サーマルヘッドを前記プラテンローラ側に弾性付勢可能な弾性部材を配設し、前記第１フレームを前記第２フレームに装着すると、前記サーマルヘッドが前記プラテンローラに弾接するようにしたことを特徴とする。
【００１１】
また、前記課題を解決するための第３の解決手段として、前記第１フレームを前記第２フレームに装着すると、前記第２フレームの前記天板が前記プラテンローラの上方を覆うようにしたことを特徴とする。
【００１２】
また、前記課題を解決するための第４の解決手段として、前記第１フレームには、前記駆動源の回転を前記プラテンローラに伝達可能な複数のギアを収納したギアボックスを配設したことを特徴とする。
【００１３】
また、前記課題を解決するための第５の解決手段として、前記第１フレームには、前記第２フレームに装着した前記第１フレームの動きを規制してロック可能なロック部材を配設したことを特徴とする。
【００１４】
また、前記課題を解決するための第６の解決手段として、前記本体ケースには、前記第１フレームの前記ロックを解除可能なロック解除部材を配設したことを特徴とする。
【００１５】
また、前記課題を解決するための第７の解決手段として、前記ロック解除部材が前記第１フレームの前記ロックを解除すると、前記ロック部材が前記第２フレームを押圧さして前記第１フレームが前記第２フレームから離間するようにしたことを特徴とする。
【００１６】
また、前記課題を解決するための第８の解決手段として、前記第２フレームには、前記ロック部材が前記第１フレームを前記ロックしたことを検出可能な検出スイッチを配設したことを特徴とする請求項５乃至７のいずれかに記載のサーマルヘッド。
【００１７】
また、前記課題を解決するための第９の解決手段として、前記プラテンローラには、前記弾性部材の付勢力に抗して前記ヘッド取付台を前記天板側に押し上げ可能な押し上げ部材を配設し、前記第１フレームを前記第２フレーム側に移動させる時は、前記押し上げ部材が前記ヘッド取付台を押し上げて前記サーマルヘッドを前記プラテンローラから離間させ、前記第１フレームの前記第２フレームへの装着が完了すると、前記押し上げ部材による前記ヘッド取付台の前記押し上げが解除されて、前記サーマルヘッドが前記プラテンローラに圧接するようにしたことを特徴とする。
【００１８】
また、前記課題を解決するための第１０の解決手段として、前記押し上げ部材は、前記プラテンローラの直径寸法より大きな円板状に形成されて、前記プラテンローラの長手方向の端部に軸止され、前記ヘッド取付台には、前記押し上げ部材が当接可能な当接部と、前記押し上げ部材の前記当接がはずれる非当接部とを形成し、前記第１フレームを前記第２フレームに前記装着時には、前記押し上げ部材が前記当接部に当接して前記ヘッド取付台を押し上げ、前記第２フレームへの前記第１フレームの前記装着が完了すると、前記押し上げ部材が前記非当接部に位置して、前記ヘッド取付台の前記押し上げが解除されるようにしたことを特徴とする。
【００１９】
【発明の実施の形態】
以下に、本発明のサーマルプリンタの実施の形態を図面に基づいて説明する。まず、図１は本発明に係わる第１、第２フレームを説明する概略斜視図であり、図２は本発明に係わる第１、第２フレームとの間に記録用紙を配置した概略斜視図であり、図３は図２の側面図であり、図４は図１に示すサーマルプリンタを反対側から見た斜視図であり、図５は本発明に係わる第１フレームに第２フレームを装着した斜視図であり、図６〜図７は本発明に係わるロック部材を説明する側面図であり、図８〜図１０は本発明に係わる押し上げ部材を説明する要部拡大図である。
【００２０】
まず、本発明の実施の形態のサーマルプリンタ１は、図１に示すように、上方が開放された第１フレーム２と、この第１フレーム２と対向する図示奥側に下方が開放された第２フレーム３とが本体ケース（図示せず）に取り付けられて、第１フレーム２が矢印Ａ方向の第２フレーム３側にスライド可能になっている。
前記第１フレーム２は、金属板からなり、互いに対向して図示右側の第１側板２ａと図示左側の第２側板２ｂとが折り曲げ形成され、この第１、第２側板２ａ、２ｂの上部側に、回転自在のプラテンローラ４の回転軸４ａが軸支されている。
前記プラテンローラ４は、硬質ゴム等の摩擦係数の大きなローラ部４ｂが回転軸４ａに固着されて形成されている。
【００２１】
また、回転軸４ａの両端部側には、第２フレーム３側に支持した後述するヘッド取付台１１を押し上げ可能な円板状の押し上げ部材４ｃが固着されている。
また、第１フレーム２の第１側板２ａには、金属板からなるロック部材５が回動支点５ａを支点として回動自在に支持されている。
前記ロック部材５は、図６に示すように、回動支点５ａから右方向にロック腕部５ｂが延出形成され、このロック腕部５ｂの先端寄りに鈎状のロック部５ｃが形成されている。
【００２２】
また、回動支点５ａの上方から図示左向きに直角状に延出して操作腕部５ｄが形成され、この操作腕部５ｄは、図示右端部に曲面状の押圧面５ｅが形成され、図示左端部近傍に、紙面に対して垂直方向に立設する操作棒５ｆが設けられている。また、回動支点５ａから左斜め下方に延びてストッパー部５ｇが形成され、図７に示すように、ロック部材６が矢印Ｂの時計回り方向に回動すると、第１フレーム２の第１側板２ａに切り起こし形成したストッパー部２ｃにストッパー部５ｇが当接可能になっている。
このようなロック部材５は、例えば捻りコイルバネ（図示せず）によって、常に反時計回り方向に付勢されている。
【００２３】
また、本体ケース（図示せず）側には、反時計回り方向に付勢されたロック部材５を時計回り方向に操作可能なロック解除部材６が配設されている。
このロック解除部材６は、先端に斜面６ａが形成され、図６に示すように、ロック解除部材６を矢印Ｃ方向に押圧操作すると、傾斜面６ａが操作棒５ｆを上方に押し上げるようになっている。
このことにより、ロック部材５は、反時計回り方向の付勢力に抗して、図７に示すように、回動支点５ａを支点として、矢印Ｂの時計回り方向に回動するようになっている。
このロック部材５が矢印Ｂ方向に回動することにより、ロック部材５のロックがはずれた第２フレーム３が、矢印Ａと反対方向の矢印Ｄ方向にスライドして、第１フレーム２から離間するようになっている。
【００２４】
また、図１に示す第１フレーム２の第２側板２ｂには、ギアボックス７が取り付けられており、このギアボックス７内には、複数のギャ８が噛み合った状態で収納されている。
そして、複数のギア８を介して、モータ等からなる駆動源（図示せず）の回転がプラテンローラ４に伝達可能になっている。
また、第１フレーム２の奥側からは、内部のモータ等の駆動源（図示せず）に接続されてＦＰＣ９が延出形成されている。
【００２５】
また、図１に示すように、第１フレーム２と対向する奥側には第２フレーム３が配設され、この第２フレーム３は、金属板からなり、上面に形成した天板３ａと、この天板３ａの左右端部を下方側に互いに対向するように折り曲げ形成した側板３ｂ、３ｂとにより、下方が開放されたコ字状になっている。
また、側壁３ｂの前端部には、略Ｕ字状の切り込み溝からなる支持溝３ｃが打ち抜き形成され、第１フレーム２を矢印Ａ方向にスライドさせて第２フレーム３に装着すると、支持溝３ｃが、プラテンローラ４の回転軸４ａに係合することにより、第１フレーム２の下方への動きが規制されて、後述するサーマルヘッド１０がプラテンローラ４に弾接するようになっている。
【００２６】
また、支持溝３ｃより奥側に位置する部分の側壁３ｂを切り起こして突片３ｄが形成され、この突片３ｄにロック部材５の押圧面５ｅが当接して押圧可能になっている。
また、第２フレーム３は、天板３ａの下面の前端部寄りで、互いに対向する側板３ｂ、３ｂ間に、ラインヘッドからなる長尺状のサーマルヘッド１０を固着した、図８に示すようなヘッド取付台１１が、天板３ａと所定の隙間を有して配設されている。
前記サーマルヘッド１０は、下面側に、複数の発熱素子が整列して形成されている。このようなサーマルヘッド１０を固着したヘッド取付台１１は、天板３ａとの間の隙間部分に弾性部材（図示せず）が配設され、この弾性部材により常時下方側に弾性付勢されている。
また、ヘッド取付台１１は、プラテンローラ４の円板状の押し上げ部材４ｃが当接可能な当接部１１ａと、押し上げ部材４ｃの当接がはずれる非当接部１１ｂとが形成されている。
【００２７】
また、第２フレーム３の側板３ｂには、図６に示すように、突片３ｄの右側近傍にロックピン１２が立設されている。そして、第１フレーム２を第２フレーム３に装着すると、図６に示すように、ロック部材５のロック部５ｃがロックピン１２に係合して、第１フレーム２がロック可能になっている。
また、第２フレーム３の側板３ｂには、図６に示すように、ロックピン１２の奥側に検出スイッチ１３が配設され、ロック部材５が回動すると、ロック腕部５ｂの先端部（図示右端部）が検出スイッチ１３を操作してＯＮ／ＯＦＦするようになっている。
【００２８】
また、図６に示す第１フレーム２の右側には、例えばロール状に巻回した感熱紙からなる記録媒体１４が配置可能な用紙載置部１５が形成されている。この用紙載置部１５に載置した記録媒体１４を含んだ第１フレーム２が、本体ケース（図示せず）に支持した第２フレーム３に対してスライド可能になっている。
また、第２フレーム３の奥側からは、サーマルヘッド１０の通電制御を行うためのＦＰＣ１６が延出形成されている。
【００２９】
このような本発明のサーマルプリンタ１の動作を説明すると、記録媒体１４を用紙載置部１５に載置する前は、図１に示すように、第１フレーム２が第２フレーム３から離間した状態になっている。
この状態の用紙載置部１５に、図２に示すように、記録媒体１４を載置して、記録媒体１４の端部側をプラテンローラ４のロール部４ｂ上に引き回しする。
この時のヘッド取付台１１は、図８に示すように、プラテンローラ４から離間した状態になっており、この状態から第１フレーム２を矢印Ａ方向にスライドさせると、図９に示すように、ヘッド取付台１１の当接部１１ａが円板状の押し上げ部材４ｃに当接して、天板３ａとヘッド取付台１１との間の弾性部材の付勢力に抗してヘッド取付台１１が上方に押し上げられる。
このことにより、第１フレーム２を第２フレーム３に装着するときに、サーマルヘッド１０がプラテンローラ４のローラ部４ｂにぶつからないようになっている。
【００３０】
この状態で、第１フレーム２を更に矢印Ａ方向にスライドさせると、図１０に示すように、押し上げ部材４ｃが非当接部１１ｂに位置して、押し上げ部材４ｃによるヘッド取付台１１の押し上げが解除されてサーマルヘッド１０がプラテンローラ４に弾接する。
そして、第２フレーム３の支持溝３ｃがプラテンローラ４の回転軸４ａに係合するので、天板３ａとヘッド取付台１１との間の弾性部材の付勢力で、サーマルヘッド１０をプラテンローラ４に弾接させることができる。
また、同時に、ロック部材５のロック部５ｃが第２フレーム３のロックピン１２に係合して、第２フレーム３が矢印Ｄ方向への動きが規制されてロックされる。
そして、第１フレーム２の第２フレーム３への装着が完了すると、検出スイッチ１３がＯＮされて、印刷待機状態となる。
【００３１】
この印刷待機状態中に印刷指令が出されると、サーマルヘッド１０の複数の発熱素子が印刷情報に基づいて選択的に発熱し、例えば感熱紙から記録媒体１４が発色すると共に、プラテンローラ４が回転して、印刷後の記録媒体１４が排紙方向に搬送されて、記録媒体１４に所望の画像が印刷される。
また、用紙載置部１５に載置した記録媒体１４が無くなったとき、あるいは記録媒体１４を交換するときは、図６に示すように、ロック解除部材６を矢印Ｃ方向に押圧すると、ロック解除部材６の傾斜面６ａがロック部材５の操作棒５ｆを上方に押し上げる。
【００３２】
このことにより、ロック部材５が図７に示すように、矢印Ｂ方向に回動して、第２フレーム３のロックピン１２とロック部材５のロック部５ｃとの係合がはずれると共に、ロック部材５の曲面状の押圧面５ｅが第２フレーム３の突片３ｄを押圧して、第１フレーム２を矢印Ｄ方向にスライドさせて、第１フレーム２がイジェクトされる。
【００３３】
また、同時にロック部材５のロック腕部５ｂも検出スイッチ１３から離れるので、検出スイッチ１３がＯＦＦして、印刷待機状態が解除される。
そして、イジェクトされた第１フレーム２を、第２フレーム３から所定位置まで離間させて、用紙載置部１５から記録媒体１４の交換を行うことができる。
このような本発明のサーマルプリンタ１は、プラテンローラ４と、このプラテンローラ４を回転駆動するための駆動源とが、第１フレーム２に組み込まれてユニット化されているので、従来のようなギア同志が衝突するような弊害を無くすることができる。
【００３４】
また、駆動源の回転をプラテンローラ４に伝達するための複数のギア８が全て、ギアボックス７内に収納されているので、複数のギア８の噛み合わせ部分にゴミ等が侵入するのを防止できる。
また、印刷中のプラテンローラ４の上方は、サーマルヘッド１０を介して第２フレーム３の天板３ａで遮蔽されるので、印刷部分にゴミ等が侵入するのを防止できる。
また、本発明の実施の形態では、複数のギア８を収納したギアボックス７を第１フレーム２に取り付けたもので説明したが、ギアボックス７部分を第１フレーム２に一体形成して、第１フレーム２に複数のギア８を収納支持したものでも良い。
【００３５】
【発明の効果】
本発明のサーマルプリンタは、プラテンローラを支持した第１フレームが、本体ケースに沿ってスライド可能に取り付けられて、サーマルヘッドを取り付けた第２フレームに着脱可能になっているので、プラテンローラと駆動源とが第１フレームでユニット化されて、従来のようなギア同志が衝突して、ギアの歯先が欠けるような弊害を無くすることができる。
そのために、プラテンローラをスムーズに回転させることができ、高品質の画像印刷が可能なサーマルプリンタを提供できる。
【００３６】
また、第２フレームの天板とヘッド取付台との間に、サーマルヘッドをプラテンローラ側に弾性付勢可能な弾性部材を配設し、第１フレームを第２フレームに装着すると、サーマルヘッドがプラテンローラに弾接するようにしたので、高品質な画像印刷ができる。
【００３７】
また、第１フレームを第２フレームに装着すると、第２フレームの天板がプラテンローラの上方を覆うようにしたので、印刷部分にゴミ等が侵入するのを防止できる。
【００３８】
また、第１フレームには、駆動源の回転をプラテンローラに伝達可能な複数のギアを収納したギアボックスを配設したので、複数のギアの噛み合い部分にゴミ等が侵入するのを防止でき、プラテンローラにスムーズな回転を伝達することができる。
【００３９】
また、第１フレームには、第２フレームに装着した第１フレームの動きを規制してロック可能なロック部材を配設したので、第２フレームに装着した第１フレームの動きをロック部材で確実に規制することができ、プラテンローラに圧接したサーマルヘッドの圧接圧のバラツキをおさえて、高品質の画像印刷ができる。
【００４０】
また、本体ケースには、第１フレームのロックを解除可能なロック解除部材を配設したので、容易に第１フレームのロックを解除することができ操作性の良いサーマルプリンタを提供できる。
【００４１】
また、ロック解除部材が第１フレームのロックを解除すると、ロック部材が第２フレームを押圧して第１フレームが第２フレームから離間するようにしたので、ロック解除後の第１フレームのイジェクトが容易である。
【００４２】
また、第２フレームには、ロック部材が第１フレームをロックしたことを検出可能な検出スイッチを配設したので、検出スイッチが第１フレームをロックしたことを検出したときでないと印刷開始することができない。そのために、印刷不良等の発生を防止できる。
【００４３】
また、第１フレームを第２フレーム側に移動させる時は、押し上げ部材がヘッド取付台を押し上げ、第１フレームの第２フレームへの装着が完了すると、押し上げ部材によるヘッド取付台の押し上げが解除されて、サーマルヘッドがプラテンローラに圧接するようにしたので、第１フレームを第２フレームに装着時に、プラテンローラにサーマルヘッドがぶつかるのを防ぐことができ、プラテンローが傷付くのを防止できる。
【００４４】
また、第１フレームを第２フレーム側に装着時には、押し上げ部材が当接部に当接してヘッド取付台を押し上げ、第１フレームの第２フレームへの装着が完了すると、押し上げ部材が非当接部に位置して、ヘッド取付台の押し上げが解除されるようにしたので、構造が簡単な当接部と非当接部とをヘッド取付台に形成することにより、第１フレームを装着時にサーマルヘッドを容易に押し上げてプラテンローラにぶつかるのを防止できる。
【図面の簡単な説明】
【図１】本発明に係わる第１、第２フレームを説明する概略斜視図である。
【図２】本発明に係わる第１、第２フレームとの間に記録用紙を配置した概略斜視図である。
【図３】図２の側面図である。
【図４】図１に示すサーマルプリンタを反対側から見た斜視図である。
【図５】本発明に係わる第１フレームに第２フレームを装着した斜視図である。
【図６】本発明に係わるロック部材を説明する側面図である。
【図７】本発明に係わるロック部材を説明する側面図である。
【図８】本発明に係わる押し上げ部材を説明する要部拡大図である。
【図９】本発明に係わる押し上げ部材を説明する要部拡大図である。
【図１０】本発明に係わる押し上げ部材を説明する要部拡大図である。
【図１１】従来のサーマルプリンタを説明する斜視図である。
【図１２】従来のサーマルプリンタを説明する斜視図である。
【符号の説明】
１　本発明のサーマルプリンタ
２　第１フレーム
３　第２フレーム
４　プラテンローラ
４ａ　回転軸
５　ロック部材
５ａ　回動支点
５ｂ　ロック腕部
５ｃ　ロック部
５ｄ　操作腕部
５ｅ　押圧部
５ｆ　操作棒
６　ロック解除部材
６ａ　傾斜面
７　ギアボックス
８　ギア
１０　サーマルヘッド
１１　ヘッド取付台
１１ａ　当接部
１１ｂ　非当接部
１２　ロックピン
１３　検出スイッチ
１４　記録媒体
１５　用紙載置部
【図１】
2004122646.tif 000003
【図２】
2004122646.tif 000004
【図３】
2004122646.tif 000005
【図４】
2004122646.tif 000006
【図５】
2004122646.tif 000007
【図６】
2004122646.tif 000008
【図７】
2004122646.tif 000009
【図８】
2004122646.tif 000010
【図９】
2004122646.tif 000011
【図１０】
2004122646.tif 000012
【図１１】
2004122646.tif 000013
【図１２】
2004122646.tif 000014